(57)【要約】【課題】車両搭載型クレーンのワイヤロープの交換を容易に行なうことができるようにすることである。【解決手段】撚りを取り除く状態で円形の束とされた一定の長さのワイヤロープ１を段ボールシート製の包装ケース１０内に収容し、その包装ケース１０のワイヤロープ１を支持する底１１と、その底１１に対向する蓋のいずれか一方にロープ引出し口２１の形成用切取り切断線１７を形成して、その切取り切断線１７の内側に切取り片部１８を設ける。クレーンのワイヤロープの交換に際しては、切取り切断線１７の切断により切取り片部１８を取り除いてロープ引出し口２１を形成し、そのロープ引出し口２１からワイヤロープ１の端部を引き出して、ワイヤロープの交換を行なう。【選択図】図３
2010159066.tif 000002
【特許請求の範囲】
【請求項１】
撚りを取り除く状態で円形の束とされた一定の長さのワイヤロープと、その円形束状のワイヤロープを収容する段ボールシート製の包装ケースとから成り、前記包装ケースのワイヤロープを支持する底と、その底に対向する蓋のいずれか一方にロープ引出し口形成用の切取り切断線を形成して、その切取り切断線の内側に切取り片部を設けた箱詰めワイヤロープ。
【請求項２】
前記切取り片部の内面にワイヤロープの一端部を連結した請求項１に記載の箱詰めワイヤロープ。
【請求項３】
前記包装ケースが、矩形の底の外周四辺から起立する角形胴部の上部開口縁に折り目線を介して対向一対の内フラップおよび対向一対の外フラップを連設した段ボール箱からなる請求項１に記載の箱詰めワイヤロープ。
【請求項４】
前記胴部の内周四隅にＬ形の補強材を内貼りした請求項３に記載の箱詰めワイヤロープ。
【発明の詳細な説明】
【技術分野】
【０００１】
この発明は、箱詰めワイヤロープに関する。
【背景技術】
【０００２】
荷物の積み降ろしを行なうクレーンを搭載した車両搭載型クレーンにおいては、フックを昇降動させるワイヤロープに大きな重量が負荷されるため、荷物の頻繁な積み降ろしによって、ワイヤロープが早期に損傷し易く、上記荷物の積み降ろしの際に、万一、ワイヤロープが切断すると、荷物の落下によって大きな怪我をする危険がある。
【０００３】
このため、車両搭載型クレーンにおいては、ワイヤロープの取り替えを頻繁に行なって安全性を確保するようにしている。
【０００４】
一般に、ワイヤロープはリールに巻き取られている。そこで、クレーンのワイヤロープの交換に際して、従来では、上記リールからワイヤロープを引き出しつつ、その交換用ワイヤロープをクレーンに掛け渡されている古いワイヤロープと交換するようにしている。
【発明の概要】
【発明が解決しようとする課題】
【０００５】
ところで、上記従来のワイヤロープの交換に際しては、リールからワイヤロープを引き出すため、交換用ワイヤロープに撚りが生じる。このため、交換用ワイヤロープをクレーンに掛け渡されている古いワイヤロープと取り替える際に、交換用ワイヤロープの撚りを取り除きつつクレーンのワイヤロープ敷設経路に沿って掛け渡しを行なう必要があり、交換に非常に手間が係るという不都合があった。
【０００６】
この発明の課題は、車両搭載型クレーンのワイヤロープの交換を容易に行なうことができるようにすることである。
【課題を解決するための手段】
【０００７】
上記の課題を解決するために、この発明においては、撚りを取り除く状態で円形の束とされた一定の長さのワイヤロープと、その円形束状のワイヤロープを収容する段ボールシート製の包装ケースとから成り、前記包装ケースのワイヤロープを支持する底と、その底に対向する蓋のいずれか一方にロープ引出し口形成用の切取り切断線を形成して、その切取り切断線の内側に切取り片部を設けた構成を採用したのである。
【０００８】
上記の構成からなる箱詰めワイヤロープにおいては、リールからワイヤロープを引き出す際に検尺して切断し、長さの異なる数種のワイヤロープを用意しておくようにする。
【０００９】
車両搭載型クレーンのワイヤロープの交換に際しては、クレーンと対応する長さのワイヤロープが収納された箱詰めワイヤロープを選択して現場に持ち込み、切取り切断線に沿っての切断により切取り片部を取り除いて、ロープ引出し口を形成し、そのロープ引出し口からワイヤロープの一端部を引き出し、クレーンのワイヤロープ敷設経路に沿ってワイヤロープの掛け渡しを行なうようにする。
【００１０】
この場合、ワイヤロープは撚りを取り除く状態で収納されているため、ワイヤロープの引き出しによって撚りが生じることが極めて少なく、ワイヤロープをスムーズに引き出すことができ、しかも、そのワイヤロープは所定の長さとされているため、交換の際にワイヤロープを切断する必要がなくなり、一人の作業者によってワイヤロープの交換を短時間に能率よく行うことができる。
【００１１】
ここで、切取り片部の内面にワイヤロープの一端部を連結しておくことにより、切取り片の切取りと同時にワイヤロープの一端部を外部に引き出すことができる。
【００１２】
また、包装ケースとして、矩形の底の外周四辺から起立する角形胴部の上部開口縁に折り目線を介して対向一対の内フラップおよび対向一対の外フラップを連設した段ボール箱を採用することにより、コストの安い箱詰めワイヤロープを提供することができると共に、空となった段ボール箱を容易に処理することができる。
【００１３】
上記のような箱詰めワイヤロープは、ホームセンタ等の商店において陳列販売する販売形態を採るようにする。この場合、段ボール箱からなる包装ケースの胴部の内周四隅にＬ形の補強材を内貼りしておくことにより、圧縮強度を高めることができるため、積み重ねによる陳列とすることができ、陳列のために大きなスペースを確保する必要がなく、また、在庫管理も容易である。
【発明の効果】
【００１４】
上記のように、この発明においては、所定長さに切断されたワイヤロープを撚りを取り除いた状態で包装ケース内に収容したので、切取り片部の切取りにより形成されたロープ引出し口から外部にスムーズに引き出すことができ、クレーンのワイヤロープの交換を一人の作業者によって短時間に簡単に行うことができる。
【００１５】
また、ワイヤロープは箱詰めされているため、任意の場所に簡単に持ち運ぶことができ、修理工場以外の場所（現場）においてワイヤロープの交換を行なうことができる。
【００１６】
さらに、ワイヤロープは箱詰めされているため、ホームセンタ等の商店において陳列販売する販売方法を採用することができ、在庫管理も容易である。
【図面の簡単な説明】
【００１７】
【図１】この発明に係る箱詰めワイヤロープの実施の形態を示す斜視図
【図２】切取り片部を取り除いてロープ引出し口を形成した状態の斜視図
【図３】ワイヤロープの箱詰め状態を示す平面図
【図４】段ボール箱の開放状態を示す斜視図
【発明を実施するための形態】
【００１８】
以下、この発明の実施の形態を図面に基づいて説明する。図３に示すように、ワイヤロープは図示省略したリールから引き出されて検尺され、所定の長さの位置で切断されて交換用のワイヤロープ１とされている。
【００１９】
この交換用のワイヤロープ１は、各種クレーンに対応する長さのものが数種類用意される。各種のワイヤロープ１は撚りを取り除きつつ円形の束とされ、包装ケース１０内に収容される。
【００２０】
図４に示すように、包装ケース１０は、矩形の底１１の外周四辺から起立する角形胴部１２の上部開口縁に折り目線１３を介して対向一対の内フラップ１４および対向一対の外フラップ１５を連設した段ボール箱からなり、上記内フラップ１４および外フラップ１５を外側に折り曲げて、胴部１２の上部開口を開放する状態において上部から内部に円形束状のワイヤロープ１が収容される。
【００２１】
なお、段ボール箱は上記の形態に限定されるものではない。
【００２２】
胴部１２の内周四隅には、Ｌ形の補強材１６が内貼りされて補強されている。また、上記ワイヤロープ１を支持する底１１には円形のミシン目からなる切取り切断線１７が形成されている。切取り切断線１７の内側は切取り片部１８とされ、その切取り片部１８の内面に、図３に示すように、ワイヤロープ１の一端部が粘着テープ片１９の接着によって連結されている。
【００２３】
対向一対の内フラップ１４は、ワイヤロープ１の収納後、胴部１２の上部開口を閉じる位置まで折り曲げられ、また、対向一対の外フラップ１５はその内フラップ１４の上面に重なる位置まで折り曲げられる。
【００２４】
図１に示すように、対向一対の外フラップ１５は、対向端部に跨る粘着テープ２０の貼り付けによって封緘状態とされ、その外フラップ１５と内フラップ１４により蓋が形成される。
【００２５】
なお、対向一対の外フラップ１５は、内フラップ１４に接着するようにしてもよく、あるいは、ステープルの打込みにより内フラップ１４に結合してもよい。
【００２６】
実施の形態で示す箱詰めワイヤロープは上記の構造からなり、この箱詰めワイヤロープはホームセンタ等の商店において陳列販売する販売形態を採るようにする。このとき、段ボール箱からなる包装ケース１０は、胴部１２の内周四隅部が補強材１６の貼付けによって補強されているため、積み重ねによる陳列とすることができ、陳列のために大きなスペースを確保する必要がない。
【００２７】
車両搭載型クレーンのワイヤロープの交換に際しては、クレーンと対応する長さのワイヤロープ１が収納された箱詰めワイヤロープを選択し、これを購入して現場に持ち込み、切取り切断線１７に沿っての切断により切取り片部１８を取り除く。
【００２８】
上記切取り片部１８の切取りによって、図２に示すように、ロープ引出し口２１が形成されると共に、交換用ワイヤロープ１の一端部は上記切取り片部１８に連結されているため、ワイヤロープ１の一端部はそのロープ引出し口２１から外部に引き出されることになる。
【００２９】
このため、ワイヤロープ１の一端部を探し出して外部に引き出す手間を省くことができる。上記のようにしてロープ引出し口２１からワイヤロープ１の一端部を引き出すと、そのワイヤロープ１をクレーンのワイヤロープ敷設経路に沿って掛け渡しする。
【００３０】
この場合、ワイヤロープ１は撚りを取り除く状態で包装ケース１０内に収納されているため、ワイヤロープ１の引き出しによって撚りが生じることが極めて少なく、ワイヤロープ１をスムーズに引き出すことができる。また、ワイヤロープ１は所定の長さとされているため、交換の際にワイヤロープ１を切断する必要がなくなり、一人の作業者によってワイヤロープ１の交換を短時間に能率よく行うことができる。
【符号の説明】
【００３１】
１    ワイヤロープ
１０  包装ケース
１１  底
１２  胴部
１３  折り目線
１４  内フラップ
１５  外フラップ
１６  補強材
１７  切取り切断線
１８  切取り片部
２１  ロープ引出し口
【図１】
2010159066.tif 000003
【図２】
2010159066.tif 000004
【図３】
2010159066.tif 000005
【図４】
2010159066.tif 000006